(57)【特許請求の範囲】
【請求項１】
電子機器を収納する梱包装置であって、
縦方向および横方向の寸法に比べて奥行き方向の寸法が小さい直方体形状を有し、かつ、下側が開口する上梱包箱と、
上側が開口し、かつ、前記上梱包箱の前記開口に嵌合される下梱包箱と、
を備え、
前記上梱包箱は、その一方主面および他方主面から切り起こして第１，第２の開口穴を形成可能な第１，第２の開口穴形成部を備え、
前記下梱包箱は、前記第１，第２の開口穴に対応する位置に設けられ、かつ、前記下梱包箱の一方主面および他方主面から切り起こし可能な第１，第２の一対の舌片部を備え、
前記第１，第２の開口穴形成部を切り起こして前記第１，第２の開口穴が形成された状態で、前記第１，第２の一対の舌片部を切り起こして一対をなす前記舌片部同士を固定することで、前記第１，第２の一対の舌片部は、前記梱包装置の下端部を支持するための支持部として機能し、
前記上梱包箱および前記下梱包箱を一方主面および他方主面で固定可能な留め具をさらに備え、
前記第１，第２の一対の舌片部は貫通穴をそれぞれ備え、
前記貫通穴に前記留め具を嵌合させることで一対をなす前記舌片部同士が固定される、梱包装置。
【請求項２】
電子機器を収納する梱包装置であって、
縦方向および横方向の寸法に比べて奥行き方向の寸法が小さい直方体形状を有し、かつ、下側が開口する上梱包箱と、
上側が開口し、かつ、前記上梱包箱の前記開口に嵌合される下梱包箱と、
を備え、
前記上梱包箱は、その一方主面および他方主面から切り起こして第１，第２の開口穴を形成可能な第１，第２の開口穴形成部を備え、
前記下梱包箱は、前記第１，第２の開口穴に対応する位置に設けられ、かつ、前記下梱包箱の一方主面および他方主面から切り起こし可能な第１，第２の一対の舌片部を備え、
前記第１，第２の開口穴形成部を切り起こして前記第１，第２の開口穴が形成された状態で、前記第１，第２の一対の舌片部を切り起こして一対をなす前記舌片部同士を固定することで、前記第１，第２の一対の舌片部は、前記梱包装置の下端部を支持するための支持部として機能し、
前記第１，第２の一対の舌片部における一対の一方は貫通穴、他方は前記貫通穴に係合可能なアンカー部をそれぞれ備え、
前記貫通穴に前記アンカー部を係合させることで一対をなす前記舌片部同士が固定される、梱包装置。
【請求項３】
前記第１，第２の開口穴形成部は、指を掛けるための切欠き穴を備える、請求項１または請求項２記載の梱包装置。
【請求項４】
一方主面および他方主面から切り起こして第１，第２の開口穴を形成可能な第１，第２の開口穴形成部を有する上梱包箱と、前記第１，第２の開口穴に対応する位置に設けられかつ一方主面および他方主面から切り起こし可能な第１，第２の一対の舌片部を有する下梱包箱とを備え、前記上梱包箱と前記下梱包箱とを嵌合させた状態で、前記上梱包箱および前記下梱包箱を一方主面および他方主面から留め具で固定する梱包装置の組立方法であって、
（ａ）前記上梱包箱の前記第１，第２の開口穴形成部を切り起こして前記第１，第２の開口穴を形成した後、前記下梱包箱の前記第１，第２の一対の舌片部を切り起こす工程と、
（ｂ）一対をなす前記舌片部同士を固定する工程と、
を備え、
前記工程（ｂ）は、前記上梱包箱および前記下梱包箱の一方主面および他方主面から前記留め具を取り外した後、前記第１，第２の一対の舌片部にそれぞれ設けられる貫通穴に対して、当該留め具を嵌合させることで一対をなす前記舌片部同士を固定する工程である、梱包装置の組立方法。
【請求項５】
一方主面および他方主面から切り起こして第１，第２の開口穴を形成可能な第１，第２の開口穴形成部を有する上梱包箱と、前記第１，第２の開口穴に対応する位置に設けられかつ一方主面および他方主面から切り起こし可能な第１，第２の一対の舌片部を有する下梱包箱とを備え、前記上梱包箱と前記下梱包箱とを嵌合させた状態で、前記上梱包箱および前記下梱包箱を一方主面および他方主面から留め具で固定する梱包装置の組立方法であって、
（ａ）前記上梱包箱の前記第１，第２の開口穴形成部を切り起こして前記第１，第２の開口穴を形成した後、前記下梱包箱の前記第１，第２の一対の舌片部を切り起こす工程と、
（ｂ）一対をなす前記舌片部同士を固定する工程と、
を備え、
前記工程（ｂ）は、前記第１，第２の一対の舌片部における一対の一方に設けられる貫通穴に対して、他方に設けられるアンカー部を係合させることで一対をなす前記舌片部同士を固定する工程である、梱包装置の組立方法。
【発明の詳細な説明】
【技術分野】
【０００１】
本発明は、薄型画像表示装置などの電子機器を運搬する際に用いられる梱包装置および梱包装置の組立方法に関するものである。
【背景技術】
【０００２】
近年、液晶テレビに代表される表示装置は薄型化が進んでいる。このような薄型表示装置には、縦方向および横方向の寸法に比べて奥行き方向の寸法が小さい直方体形状の梱包箱が用いられている。
【０００３】
上記のような直方体形状の梱包箱を用いて薄型表示装置を梱包した場合は、梱包箱の奥行き寸法が小さいために設置状態が安定せず、転倒しやすくなる。また、転倒を防止するために梱包箱の奥行き寸法を大きくすると、その分だけ積み荷の体積が大きくなる。このため、運送費がかさんでしまう。そこで、薄型表示装置に用いる梱包装置として、転倒防止機能を有する梱包装置が提案されている（例えば、特許文献１，２参照）。
【先行技術文献】
【特許文献】
【０００４】
【特許文献１】特開２０１０−３０６３６号公報
【特許文献２】特開２０１０−２１５２７６号公報
【発明の概要】
【発明が解決しようとする課題】
【０００５】
しかしながら、上記特許文献１に記載された梱包装置では、転倒防止用の部材を、梱包箱とは別個に設けた構成になっている。このため、梱包装置の価格が上昇してしまう。
【０００６】
また、上記特許文献１に記載された梱包装置では、蓋を取り外した後に前記梱包箱とは別個に設けた転倒防止用の部材を使用するため、蓋を取り外す際に転倒する恐れがあった。
【０００７】
また、上記特許文献２に記載された梱包装置では、梱包箱本体を構成する梱包材に一体形成された翼板部の突出部分が、梱包箱本体を支持する支持脚として機能するため、梱包装置の価格を上昇させることはない。しかし、薄型表示装置を取り出すために梱包材を取り外す際には、前記翼板部の突出部分について梱包箱本体を支持する支持脚として機能させることができないため、梱包材を取り外す際に転倒する恐れがあった。
【０００８】
そこで、本発明は、価格を上昇させることなく、転倒防止機能を付与し、かつ、開梱前に転倒防止機能を有効にすることで、安定した開梱作業を行うことが可能な梱包装置および梱包装置の組立方法を提供することを目的とする。
【課題を解決するための手段】
【０００９】
本発明に係る梱包装置は、電子機器を収納する梱包装置であって、縦方向および横方向の寸法に比べて奥行き方向の寸法が小さい直方体形状を有し、かつ、下側が開口する上梱包箱と、上側が開口し、かつ、前記上梱包箱の前記開口に嵌合される下梱包箱とを備え、前記上梱包箱は、その一方主面および他方主面から切り起こして第１，第２の開口穴を形成可能な第１，第２の開口穴形成部を備え、前記下梱包箱は、前記第１，第２の開口穴に対応する位置に設けられ、かつ、前記下梱包箱の一方主面および他方主面から切り起こし可能な第１，第２の一対の舌片部を備え、前記第１，第２の開口穴形成部を切り起こして前記第１，第２の開口穴が形成された状態で、前記第１，第２の一対の舌片部を切り起こして一対をなす前記舌片部同士を固定することで、前記第１，第２の一対の舌片部は、前記梱包装置の下端部を支持するための支持部として機能し、前記上梱包箱および前記下梱包箱を一方主面および他方主面で固定可能な留め具をさらに備え、前記第１，第２の一対の舌片部は貫通穴をそれぞれ備え、前記貫通穴に前記留め具を嵌合させることで一対をなす前記舌片部同士が固定されるものである。
【００１０】
本発明に係る梱包装置の組立方法は、一方主面および他方主面から切り起こして第１，第２の開口穴を形成可能な第１，第２の開口穴形成部を有する上梱包箱と、前記第１，第２の開口穴に対応する位置に設けられかつ一方主面および他方主面から切り起こし可能な第１，第２の一対の舌片部を有する下梱包箱とを備え、前記上梱包箱と前記下梱包箱とを嵌合させた状態で、前記上梱包箱および前記下梱包箱を一方主面および他方主面から留め具で固定する梱包装置の組立方法であって、（ａ）前記上梱包箱の前記第１，第２の開口穴形成部を切り起こして前記第１，第２の開口穴を形成した後、前記下梱包箱の前記第１，第２の一対の舌片部を切り起こす工程と、（ｂ）一対をなす前記舌片部同士を固定する工程とを備え、前記工程（ｂ）は、前記上梱包箱および前記下梱包箱の一方主面および他方主面から前記留め具を取り外した後、前記第１，第２の一対の舌片部にそれぞれ設けられる貫通穴に対して、当該留め具を嵌合させることで一対をなす前記舌片部同士を固定する工程である。
【発明の効果】
【００１１】
本発明によれば、第１，第２の開口穴形成部を切り起こして第１，第２の開口穴が形成された状態で、第１，第２の一対の舌片部を切り起こして一対をなす舌片部同士を固定することで、第１，第２の一対の舌片部は、梱包装置の下端部を支持するための支持部として機能するため、梱包装置の転倒を防止することができる。また、転倒防止用の部材を新たに準備する必要がないため、価格を上昇させることなく、転倒防止機能を付与することができる。さらに、開梱前に転倒防止機能を有効にすることができるため、開梱中も転倒防止機能が働き、安定した開梱作業を行うことができる。上梱包箱および下梱包箱を一方主面および他方主面で固定可能な留め具をさらに備え、第１，第２の一対の舌片部は貫通穴をそれぞれ備え、貫通穴に留め具を嵌合させることで一対をなす舌片部同士が固定される。したがって、一対をなす舌片部同士を強固に固定することができ、一層強固な転倒防止機能を実現することができる。
【図面の簡単な説明】
【００１２】
【図１】実施の形態に係る梱包装置において、上梱包箱と下梱包箱の構成を示す斜視図である。
【図２】実施の形態に係る梱包装置において、上梱包箱の開口穴形成部を切り起こした状態を示す斜視図である。
【図３】実施の形態に係る梱包装置において、下梱包箱の舌片部を切り起こした状態を示す斜視図である。
【図４】実施の形態に係る梱包装置において、舌片部の貫通穴に留め具を装着しようとしている状態を示す斜視図である。
【図５】実施の形態の変形例１に係る梱包装置の下梱包箱の構成を示す斜視図である。
【図６】実施の形態の変形例１に係る梱包装置の舌片部の固定状態を示す斜視図である。
【図７】実施の形態の変形例２に係る梱包装置の構成を示す斜視図である。
【図８】前提技術に係る梱包装置の構成を示す分解斜視図である。
【図９】前提技術に係る梱包装置と留め具の構成を示す斜視図である。
【発明を実施するための形態】
【００１３】
＜前提技術＞
最初に、本発明の前提技術について図面を用いて以下に説明する。図８は、前提技術に係る梱包装置の構成を示す分解斜視図であり、図９は、梱包装置と留め具５の構成を示す斜視図である。
【００１４】
図８に示すように、梱包装置は、電子機器である薄型表示装置６０を収納するものであり、上梱包箱１と下梱包箱２とを備えている。上梱包箱１および下梱包箱２は、共に縦方向および横方向の寸法に比べて奥行き方向の寸法が小さい直方体形状を有している。上梱包箱１は、下側が開口する開口１ａを備え、下梱包箱２は、上側が開口する開口２ａを備えている。上梱包箱１は、下梱包箱２の開口２ａを覆う状態で下梱包箱２に嵌合させることが可能に、上梱包箱１の開口１ａの内周寸法が下梱包箱２の外周寸法よりも少し大きく形成されている。また、上梱包箱１の縦方向寸法は下梱包箱２の縦方向寸法よりも長く形成されている。
【００１５】
上梱包箱１は、長手方向に位置する両側の側面部１ｂと、短手方向に位置する両側の側面部１ｃとを備えている。下梱包箱２は、長手方向に位置する両側の側面部２ｂと、短手方向に位置する両側の側面部２ｃとを備えている。上梱包箱１および下梱包箱２は、段ボール板材にて作製されている。上梱包箱１および下梱包箱２の４つの側面部は、１枚の段ボール板材をそれぞれ折り曲げることで連ねて設けられている。または、上梱包箱１および下梱包箱２の４つの側面部は、金具、接着剤または粘着テープを用いて接続されている。
【００１６】
下梱包箱２の内底部には、下緩衝材３が配置される。下緩衝材３の長手方向に位置する両側の側面部３ａと、短手方向に位置する両側の側面部３ｂとで構成される外周寸法は、下梱包箱２の４つの側面部２ｂ，２ｃで構成される内周寸法よりも少し小さく形成されている。
【００１７】
下緩衝材３には、下梱包箱２の長手方向に平行でかつ短手方向に所定間隔を隔てて対向する２つの内壁と、下梱包箱２の側面部２ｃ側および底部２ｄ側の内壁とを有し、下梱包箱２の上側に開放される凹部３ｃが設けられている。凹部３ｃの短手方向の寸法は、薄型表示装置６０の底部厚さよりも少し大きく形成されている。
【００１８】
上緩衝材４には、上梱包箱１の長手方向に平行でかつ短手方向に所定間隔を隔てて対向する２つの内壁と、上梱包箱１の側面部１ｃ側および天部１ｄ側の内壁とを有し、上緩衝材４における下側を開放する凹部４ａを設けてある。凹部４ａの短手方向の寸法は、薄型表示装置６０の上部厚さよりも少し大きく形成されている。
【００１９】
上緩衝材４は、長手方向に位置する両側の側面部４ｂと、短手方向に位置する両側の側面部４ｃとで構成される外周寸法は、上梱包箱１の４つの側面部１ｂ，１ｃで構成される内周寸法よりも少し小さく形成されている。以上説明した下緩衝材３および上緩衝材４は、発泡合成樹脂材料にて作製されている。
【００２０】
上梱包箱１における両側の側面部１ｂに、貫通穴１ｅ，１ｆがそれぞれ設けられ、下梱包箱２における両側の側面部２ｂにおいて貫通穴１ｅ，１ｆと対応する位置に、貫通穴２ｅ，２ｆがそれぞれ設けられている。
【００２１】
次に、梱包装置の組立方法について説明する。図８に示すように、作業者は、下梱包箱２に下緩衝材３を嵌合させて、下緩衝材３に設けた凹部３ｃに薄型表示装置６０を底部から嵌合させる。その後、作業者は、薄型表示装置６０の上部に、上緩衝材４の凹部４ａを上方から嵌合させる。さらに、作業者は、上梱包箱１の開口１ａを上緩衝材４の上方から被せる。より具体的には、作業者は、上梱包箱１の開口１ａを上緩衝材４に被せながら、上梱包箱１の天部１ｄの内側の面が、上緩衝材４の天部４ｄに接触するように、上梱包箱１を下梱包箱２に嵌合させる。
【００２２】
図９に示すように、作業者は、上梱包箱１を下梱包箱２に嵌合させた後、上梱包箱１の側面部１ｂに設けた各々の貫通穴１ｅ，１ｆに１個ずつ留め具５を挿し込んで嵌合させる。留め具５は、上梱包箱１と下梱包箱２に対して着脱可能に取り付けられるものである。留め具５は、上梱包箱１および下梱包箱２を固定するものであり、梱包装置を構成する部材である。各々の貫通穴１ｅ，１ｆのうち、例えば、貫通穴１ｅに挿し込まれる留め具５は、当該貫通穴１ｅを通して、これに重なり合う下梱包箱２の貫通穴２ｅにも同時に挿し込まれる。そして、留め具５は、上梱包箱１の貫通穴１ｅと下梱包箱２の貫通穴２ｅで、上梱包箱１と下梱包箱２を結合（固定）する。この点は、他の貫通穴１ｆに留め具５を挿し込む場合についても同様である。
【００２３】
なお、留め具５は、各々の貫通穴１ｅ，１ｆで、上梱包箱１と下梱包箱２を結合できる構造であれば、どのような構造のものを用いても構わない。例えば、留め具を貫通穴に挿し込んだ状態で、留め具の奥側（先端側）の外径が拡開することで、上梱包箱１と下梱包箱２を結合する構造であってもよい。また、留め具を貫通穴に差し込んだ状態で、留め具自身を回転させることで、上梱包箱１と下梱包箱２を結合する構造であってもよい。
【００２４】
以上、説明した梱包装置においては、直方体形状をなす上梱包箱１と下梱包箱２の奥行き方向の寸法（奥行き寸法）が、上梱包箱１の縦方向の寸法（高さ寸法）または横方向の寸法（幅寸法）に比べて小さくなっている。このため、上記のように、上梱包箱１と下梱包箱２とを結合した状態が不安定で転倒しやすいものとなる。したがって、水平面に設置した当該梱包装置に対して、奥行き方向に振動または衝撃等が加わると、当該梱包装置が転倒する恐れがある。特に、薄型表示装置６０などの電子機器は、今後も薄型化が進む傾向にあり、それに伴って梱包箱の奥行き寸法も小さくなるため、ますます転倒しやすい状況となる。
【００２５】
上記の状況に鑑みて、本実施の形態においては、電子機器の梱包に用いられる梱包装置として、次のような構成を採用することとした。
【００２６】
＜実施の形態＞
本発明の実施の形態について、図面を用いて以下に説明する。図１は、実施の形態に係る梱包装置において、上梱包箱１と下梱包箱２の構成を示す斜視図であり、図２は、梱包装置において、上梱包箱１の開口穴形成部１ｇを切り起こした状態を示す斜視図であり、図３は、梱包装置において、下梱包箱２の舌片部２ｇ，２ｈを切り起こした状態を示す斜視図であり、図４は、梱包装置において、舌片部２ｇ，２ｈの貫通穴２ｒ，２ｓに留め具５を装着しようとしている状態を示す斜視図である。なお、実施の形態において、前提技術で説明したものと同一の構成要素については同一符号を付して説明は省略する。
【００２７】
図１に示すように、上梱包箱１は、一方主面（正面側の側面部１ｂ）から切り起こして開口穴１ｍ（第１の開口穴）を形成可能な開口穴形成部１ｇ（第１の開口穴形成部）を備えるとともに、他方主面（背面側の側面部１ｂ）から切り起こして開口穴１ｍ（第２の開口穴）を形成可能な開口穴形成部１ｇ（第２の開口穴形成部）を備えている。開口穴形成部１ｇは、両側の側面部１ｂの下端部において、折り曲げ線１ｈおよびミシン目１ｊ，１ｋによって切り起こし可能に形成されている。
【００２８】
また、下梱包箱２は、開口穴１ｍに対応する位置に設けられ、かつ、下梱包箱２の一方主面（正面側の側面部２ｂ）から切り起こし可能な第１の一対の舌片部２ｇ，２ｈを備えるとともに、開口穴１ｍに対応する位置に設けられ、かつ、下梱包箱２の他方主面（背面側の側面部２ｂ）から切り起こし可能な第２の一対の舌片部２ｇ，２ｈを備えている。より具体的には、下梱包箱２には、上梱包箱１の開口穴形成部１ｇの範囲よりも小さい範囲において、長手方向に位置する両側の側面部２ｂに、切り起こし可能な舌片部２ｇ，２ｈが設けられている。舌片部２ｇは、折り曲げ線２ｊおよびミシン目２ｋ，２ｍによって切り起こし可能に形成されている。他方の舌片部２ｈは、折り曲げ線２ｎおよびミシン目２ｐ，２ｑによって切り起こし可能に形成されている。
【００２９】
舌片部２ｇ，２ｈには、貫通穴２ｒ，２ｓがそれぞれ設けられている。貫通穴２ｒ，２ｓには、上梱包箱１と下梱包箱２に対して着脱可能に取り付けられる留め具５が着脱可能に取り付けられる。
【００３０】
次に、実施の形態に係る梱包装置の組立方法について説明する。ここで説明する組立方法は、前提技術で説明した手順を経て行われる。
【００３１】
図２に示すように、上梱包箱１と下梱包箱２が、留め具５で結合された状態（開梱前）で、作業者は、上梱包箱１の開口穴形成部１ｇを、ミシン目１ｊ，１ｋに沿って破り、折り曲げ線１ｈを境にして切り起こす。開口穴形成部１ｇを切り起こすことで開口穴１ｍが形成され、開口穴１ｍから下梱包箱２の舌片部２ｇ，２ｈが露出する。
【００３２】
次に、図３に示すように、作業者は、下梱包箱２の舌片部２ｇを、ミシン目２ｋ，２ｍに沿って破り、折り曲げ線２ｊを境にして切り起こす。作業者は、続いて他方の舌片部２ｈを、ミシン目２ｐ，２ｑに沿って破り、折り曲げ線２ｎを境にして切り起こす。
【００３３】
次に、図４に示すように、作業者は、上梱包箱１および下梱包箱２の一方主面および他方主面に取り付けられている全ての留め具５を取り外す。作業者は、取り外した留め具５のいずれかを、切り起こした舌片部２ｇ，２ｈに設けた貫通穴２ｒ，２ｓに挿し込んで嵌合させることで、一対をなす舌片部２ｇ，２ｈ同士を結合（固定）する。すなわち、作業者は、舌片部２ｇ，２ｈに設けた折り曲げ線２ｔ，２ｕを境にして接合面２ｖ，２ｗを結合することで、支持部２ｘが構成される。支持部２ｘは、梱包装置の一方主面および他方主面から梱包装置の奥行き方向（正面方向および背面方向）に突出し、梱包装置の下端部を支持する。
【００３４】
以上のように、実施の形態に係る梱包装置および梱包装置の組立方法では、開口穴形成部１ｇを切り起こして開口穴１ｍが形成された状態で、一対の舌片部２ｇ，２ｈを切り起こして一対をなす舌片部２ｇ，２ｈ同士を固定することで、一対の舌片部２ｇ，２ｈは、梱包装置の下端部を支持するための支持部２ｘとして機能するため、梱包装置の転倒を防止することができる。また、転倒防止用の部材を新たに準備する必要がないため、価格を上昇させることなく、転倒防止機能を付与することができる。さらに、開梱前に転倒防止機能を有効にすることができるため、開梱中も転倒防止機能が働き、安定した開梱作業を行うことができる。
【００３５】
上梱包箱１および下梱包箱２を一方主面および他方主面で固定可能な留め具５をさらに備え、一対の舌片部２ｇ，２ｈは貫通穴２ｒ，２ｓをそれぞれ備え、貫通穴２ｒ，２ｓに留め具５を嵌合させることで一対をなす舌片部２ｇ，２ｈ同士が固定される。したがって、一対をなす舌片部２ｇ，２ｈ同士を強固に固定することができ、一層強固な転倒防止機能を実現することができる。また、上梱包箱１および下梱包箱２を一方主面および他方主面で固定することが可能な留め具５を共用することができるため、一対をなす舌片部２ｇ，２ｈ同士を固定するために新たに別部材を準備する必要がなく、梱包装置の価格上昇を抑えることができる。
【００３６】
また、下梱包箱２の舌片部２ｇ、２ｈの結合には、留め具５を用いたが、図５と図６に示すように、一対の舌片部２ｇ，２ｈにおける一対の一方は貫通穴２ｒ、他方は貫通穴２ｒに嵌合可能なアンカー部２０ｃをそれぞれ備え、貫通穴２ｒにアンカー部２０ｃを嵌合させることで一対をなす舌片部２ｇ，２ｈ同士が固定されてもよい。図５は、実施の形態の変形例１に係る梱包装置の下梱包箱２の構成を示す斜視図であり、図６は、梱包装置の舌片部２ｇ，２ｈの固定状態を示す斜視図である。
【００３７】
アンカー部２０ｃは、舌片部２ｈにおいて折り曲げ線２０ａおよびミシン目２０ｂによって切り起こし可能に形成されている。また、貫通穴２ｒは、舌片部２ｇに設けられている。作業者は、ミシン目２０ｂに沿って破り、折り曲げ線２０ａを境にして折り曲げることでアンカー部２０ｃを形成し、アンカー部２０ｃの係合部２０ｄを、図６に示すように、貫通穴２ｒに係合させることで、接合面２ｖ，２ｗを結合させることができる。これにより、一対の舌片部２ｇ，２ｈは、支持部２ｘを構成することが可能となる。
【００３８】
この場合、一対をなす舌片部２ｇ，２ｈ同士を強固に固定することができ、一層強固な転倒防止機能を実現することができる。また、一対をなす舌片部２ｇ，２ｈ同士を固定するために新たに別部材を準備する必要がないため、梱包装置の価格上昇を抑えることができる。
【００３９】
また、図７に示すように、開口穴形成部１ｇは、指を掛けるための切欠き穴１０ａを備えていてもよい。図７は、実施の形態の変形例２に係る梱包装置の構成を示す斜視図である。切欠き穴１０ａは、例えば半円状に形成され、開口穴形成部１ｇの下端部に設けられている。開口穴形成部１ｇは、指を掛けるための切欠き穴１０ａを備える場合、切り起こし作業を容易にすることが可能となる。
【００４０】
なお、本発明は、その発明の範囲内において、実施の形態を適宜、変形、省略することが可能である。
【符号の説明】
【００４１】
１  上梱包箱、１ｇ  開口穴形成部、１ｍ  開口穴、２  下梱包箱、２ｇ  舌片部、２ｈ  舌片部、２ｒ  貫通穴、２ｓ  貫通穴、２ｘ  支持部、５  留め具、１０ａ  切欠き穴、２０ｃ  アンカー部。
【図１】
0006312537.tif 000002
【図２】
0006312537.tif 000003
【図３】
0006312537.tif 000004
【図４】
0006312537.tif 000005
【図５】
0006312537.tif 000006
【図６】
0006312537.tif 000007
【図７】
0006312537.tif 000008
【図８】
0006312537.tif 000009
【図９】
0006312537.tif 000010